(57)【要約】【課題】ハウジングの嵌合作業を容易に行えるようにする。【解決手段】両ハウジング１０，２０の嵌合時には、まず、可動側ハウジング２０の正面先端部を固定側ハウジング１０の正面基端部に当接させるが、このとき正確な位置決めは不要である。この後、可動側ハウジング２０を整合位置側へ移動させると、ガイド手段１５，２４ａ，２４ｂにより可動側ハウジング２０が確実に整合位置に移動し、カム溝３４ａ，３４ｂの入口がカムフォロア１３ａ，１３ｂと整合するので、あとは、スライドレバー３０を移動させればよい。ハウジング１０，２０同士の位置決めが不要なので、目視確認が困難な状況下でも、嵌合作業が容易且つ確実に行える。【選択図】　図１
2004039260.tif 000002
【特許請求の範囲】
【請求項１】
外側面にカムフォロアを有する固定側ハウジングと、
この固定側ハウジングに設けられた固定電極と、
前記固定側ハウジングに対しその正面側から筒状嵌合部を被せるようにして嵌合される可動側ハウジングと、
前記可動側ハウジングに設けられた可動電極と、
前記筒状嵌合部の側壁の内面に沿いつつ、初期位置と嵌合位置との間で前記両ハウジングの嵌合方向と略直交する方向に直線移動し得るように設けられたスライドレバーとを備え、
前記初期位置にある前記スライドレバーのカム溝の入口に前記カムフォロアを進入させ、前記スライドレバーを嵌合位置へ移動させるのに伴う前記カム溝と前記カムフォロアとのカム作用により、前記筒状嵌合部を前記固定側ハウジングに外嵌させつつ前記固定電極と前記可動電極とを接続させるようにしたものであって、
前記固定側ハウジングの外側面と前記筒状嵌合部の側壁内面とには、
前記可動側ハウジングがその正面先端部を前記固定側ハウジングの正面基端部に当接させる不整合位置にある状態、及び前記可動側ハウジングがその正面先端部を前記固定側ハウジングの正面先端部に対応させて前記カム溝の入口を前記カムフォロアに対応させる整合位置にある状態では互いに係合せず、且つ前記可動側ハウジングが前記不整合位置から前記整合位置へ移動する過程においては互いに係合することによって前記可動側ハウジングを案内するガイド手段が設けられていることを特徴とするブレーカ装置。
【請求項２】
前記ガイド手段には、前記可動側ハウジングが前記整合位置の手前から前記整合位置に至る過程において前記可動側ハウジングを斜め方向へ案内しつつ前記カム溝の入口を前記カムフォロアに嵌合させる誘導部が設けられていることを特徴とする請求項１記載のブレーカ装置。
【請求項３】
前記誘導部が、前記可動側ハウジングの前記不整合位置と前記整合位置との間の移動方向に間隔を空けた２位置に設けられていることを特徴とする請求項１又は請求項２記載のブレーカ装置。
【請求項４】
前記可動側ハウジングの前記不整合位置から前記整合位置への移動方向と、前記スライドレバーの前記初期位置から前記嵌合位置への移動方向とが互いに同じ向きとされていることを特徴とする請求項１乃至請求項３のいずれかに記載のブレーカ装置。
【発明の詳細な説明】
【０００１】
【発明の属する技術分野】
本発明は、ブレーカ装置に関するものである。
【０００２】
【従来の技術】
従来、ブレーカ装置としては、対をなす固定電極を固定側ハウジングに設けるとともに、この固定電極対を短絡させるための可動電極を可動側ハウジングに設け、さらに、可動側ハウジングに、カム溝を有するスライドレバーを設けたものがある。嵌合に際しては、まず、スライドレバーが初期位置にある状態で、両ハウジングを浅く嵌合させることにより、カム溝の入口と固定側ハウジングのカムフォロアとを嵌合させる。この状態からスライドレバーを移動させると、カム溝とカムフォロアとの係合によりカム作用により、可動側ハウジングが固定側ハウジングに引き寄せられて嵌合状態に至るとともに、可動電極が固定電極に嵌合してその両固定電極を短絡させるようになっている。
【０００３】
尚、スライドレバーを用いたカム作用によってハウジングを嵌合させるものとしては、従来、特開平６−５２９２９号公報に開示されているものがある。
【０００４】
【発明が解決しようとする課題】
上記従来のブレーカ装置では、カム溝の入口をカムフォロアに嵌合させる際に、可動側ハウジングを固定側ハウジングに対して位置決めする必要があるが、カム溝は比較的細く、またカムフォロアは比較的小径であるため、その位置決めの作業は困難であった。
【０００５】
特に、ハウジングの位置を目視で確認できずに手探りで作業を行わなければならない状況下では、その位置決め作業は極めて困難となる。
本願発明は上記事情に鑑みて創案され、ハウジングの嵌合作業を容易に行えるようにすることを目的としている。
【０００６】
【課題を解決するための手段】
請求項１の発明は、外側面にカムフォロアを有する固定側ハウジングと、この固定側ハウジングに設けられた固定電極と、前記固定側ハウジングに対しその正面側から筒状嵌合部を被せるようにして嵌合される可動側ハウジングと、前記可動側ハウジングに設けられた可動電極と、前記筒状嵌合部の側壁の内面に沿いつつ、初期位置と嵌合位置との間で前記両ハウジングの嵌合方向と略直交する方向に直線移動し得るように設けられたスライドレバーとを備え、前記初期位置にある前記スライドレバーのカム溝の入口に前記カムフォロアを進入させ、前記スライドレバーを嵌合位置へ移動させるのに伴う前記カム溝と前記カムフォロアとのカム作用により、前記筒状嵌合部を前記固定側ハウジングに外嵌させつつ前記固定電極と前記可動電極とを接続させるようにしたものであって、前記固定側ハウジングの外側面と前記筒状嵌合部の側壁内面とには、前記可動側ハウジングがその正面先端部を前記固定側ハウジングの正面基端部に当接させる不整合位置にある状態、及び前記可動側ハウジングがその正面先端部を前記固定側ハウジングの正面先端部に対応させて前記カム溝の入口を前記カムフォロアに対応させる整合位置にある状態では互いに係合せず、且つ前記可動側ハウジングが前記不整合位置から前記整合位置へ移動する過程においては互いに係合することによって前記可動側ハウジングを案内するガイド手段が設けられている構成とした。
【０００７】
請求項２の発明は、請求項１の発明において、前記ガイド手段には、前記可動側ハウジングが前記整合位置の手前から前記整合位置に至る過程において前記可動側ハウジングを斜め方向へ案内しつつ前記カム溝の入口を前記カムフォロアに嵌合させる誘導部が設けられている構成とした。
請求項３の発明は、請求項１又は請求項２の発明において、前記誘導部が、前記可動側ハウジングの前記不整合位置と前記整合位置との間の移動方向に間隔を空けた２位置に設けられている構成とした。
【０００８】
請求項４の発明は、請求項１乃至請求項３のいずれかの発明において、前記可動側ハウジングの前記不整合位置から前記整合位置への移動方向と、前記スライドレバーの前記初期位置から前記嵌合位置への移動方向とが互いに同じ向きとされている構成とした。
【０００９】
【発明の作用及び効果】
［請求項１の発明］
可動側ハウジングを固定側ハウジングに嵌合する際には、まず、スライドレバーが初期位置にある状態で、可動側ハウジングの正面先端部を固定側ハウジングの正面基端部に当接させ、可動側ハウジングを不整合位置とする。この可動側ハウジングを固定側ハウジングに当接させるときには、ガイド手段は互いに係合しないので可動側ハウジングの当接動作に支障はなく、また、カム溝の入口をカムフォロアに整合させる必要がないので両ハウジング同士を位置決めさせる必要はない。
【００１０】
この後、不整合位置の可動側ハウジングを整合位置側へ移動させると、ガイド手段が互いに係合してガイド機能を発揮する。このガイド機能により、可動側ハウジングは確実に整合位置に移動し、カム溝の入口がカムフォロアと整合するようになる。この後は、カム溝の入口とカムフォロアとが嵌合した状態で、スライドレバーを初期位置から嵌合位置に移動させればよい。
このように本発明によれば、ハウジング同士を位置決めする必要がないので、目視確認が困難であって手探りで作業しなければならないような状況下においても、ハウジングの嵌合作業を容易且つ確実に行うことができる。
【００１１】
［請求項２の発明］
可動側ハウジングが整合位置の手前から整合位置に至る過程では、誘導部の案内により可動側ハウジングが移動方向を斜めに変え、この移動が進むのに伴なってカム溝の入口がカムフォロアに嵌合される。つまり、可動側ハウジングを整合位置へ移動させる作業と、カム溝の入口をカムフォロアに嵌合させる作業とが、ワンアクションで済む。
したがって、可動側ハウジングを整合位置まで移動させた後に、その可動側ハウジングを持ち替えてカム溝をカムフォロアに嵌合させるための別工程作業を行う場合に比べると、作業性に優れている。
【００１２】
［請求項３の発明］
可動側ハウジングが誘導部に案内されて移動方向を変える際には、可動側ハウジングは２個所で案内されるので所定の姿勢に保たれる。これにより、カム溝の入口をカムフォロアに確実に嵌合させることができる。
［請求項４の発明］
両ハウジングを嵌合するときの可動側ハウジングの移動方向と、その後のスライドレバーの移動方向とが同じ方向なので、作業性がよい。
【００１３】
【発明の実施の形態】
［実施形態１］
以下、本発明を具体化した実施形態１を図１乃至図６を参照して説明する。
本実施形態のブレーカ装置は、主回路（図示せず）に直列に設けた固定電極１１を固定側ハウジング１０に取り付け、可動側ハウジング２０に設けた可動電極２１を、対をなす固定電極１１に対して嵌合・離脱させることにより、固定電極１１間の通電を許容又は阻止するようにしたものである。
【００１４】
固定側ハウジング１０は、全体として上下方向に長い角形をなし、例えば自動車のエンジンルーム内などの比較的狭い空間に固定して設けられている。固定側ハウジング１０の正面側（図１〜図４における左側であって、可動側ハウジング２０と対応する側）には２対の固定電極１１が上下に並べて設けられている。
可動側ハウジング２０は、固定側ハウジング１０に対して嵌合・離脱されるものであって、全体として上下方向に長い角形をなし、その正面（図１〜図４における右側の面であって、固定側ハウジング１０と対応する側）には上下２つの可動電極２１が取り付けられている。各可動電極２１は正面側に開口する上下２個の筒部２１ａを有し、これらの筒部２１ａは可動側ハウジング２０の正面よりも前方へ突出されている。両ハウジング１０，２０の嵌合にともない、各可動電極２１は、夫々、その２つの筒部２１ａを一対の固定電極１１に嵌合させてその対をなす固定電極１１を電気的に短絡させた状態（導通を許容された状態）とする。また、可動電極２１が固定電極１１から離脱されることにより、固定電極１１の間の導通が阻止された状態となる。
【００１５】
固定側ハウジング１０には、図１〜図４における上方及び前方を開放させた正面視略Ｕ字形をなすフード部１２が正面側へ突出するように形成されており、これに対応して可動側ハウジング２０には、フード部１２に外嵌される縦長方形の筒状嵌合部２２が形成されている。可動側ハウジング２０が固定側ハウジング１０に対しその正面同士を整合させた位置関係（＝固定電極１１に対して可動電極２１が整合するように対応する位置関係）で前後方向（＝可動電極２１と固定電極１１の嵌合方向と平行な方向）に嵌合されるときには、筒状嵌合部２２の内縁にフード部１２が嵌合されることにより、両ハウジング１０，２０の上下及び左右方向（各ハウジング１０，２０の正面に対して直交する方向）への遊動が規制されるようになっている。さらに、固定側ハウジング１０のフード部１２の左右両外側面には、夫々、上下一対のずつのカムフォロア１３ａ，１３ｂが突設されている。各カムフォロア１３ａ，１３ｂは、軸線を左右方向に向けた円柱形をなし、そのカムフォロア１３ａ，１３ｂの外周には金属製のリング１４ａ，１４ｂが回転自由に装着されている。
【００１６】
可動側ハウジング２０においては、筒状嵌合部２２の左右両側壁の内面に上下方向に延びる左右一対のガイド部２３が形成され、このガイド部２３は、筒状嵌合部２２の上下両壁においてスリット状に開口されている。かかるガイド部２３には、カムフォロア１３ａ，１３ｂと協働してカム機能を発揮するスライドレバー３０が案内されている。
スライドレバー３０は、上下方向に長い板状をなす左右２枚のカム板３１と、この両カム板３１の上端同士を連結する連結板３２と、この連結板３２から上方へ延出する側方視略Ｌ字形をなす操作部３３とを一枚の鋼板からプレス加工によって形成したものである。スライドレバー３０は、その連結板３２と操作部３３を可動側ハウジング２０（筒状嵌合部２２）の上方に露出させるとともに両カム板３１を上記ガイド部２３に嵌合させた状態で可動側ハウジング２０に組み付けられ、このガイド部２３に案内されることにより、嵌合位置とこの嵌合位置よりも上方の初期位置との間で上下方向（固定電極１１と可動電極２１の嵌合・離脱方向と直交する方向）に移動し得るようになっている。
【００１７】
各カム板３１には、夫々、入口を固定側ハウジング１０と対向する前縁に開口させ、スライドレバー３０の移動方向と両電極１１，２１の嵌合・離脱方向の両方向に対して斜めに延びる上下２本ずつのカム溝３４ａ，３４ｂが形成されている。両電極１１，２１が対応するように両ハウジング１０，２０が位置する（＝可動側ハウジング２０が固定側ハウジング１０に対して整合位置にある）とともにスライドレバー３０が初期位置にある状態では、カムフォロア１３ａ，１３ｂがカム溝３４ａ，３４ｂの入口に進入し得るようになっている。カム溝３４ａ，３４ｂの入口にカムフォロア１３ａ，１３ｂが進入した状態からスライドレバー３０を図１〜図４の下方向に移動させると、カム溝３４ａ，３４ｂとカムフォロア１３ａ，１３ｂとの係合によるカム作用により、可動側ハウジング２０が固定側ハウジング１０側へ引き寄せられ、スライドレバー３０が嵌合位置に達したところで両ハウジング１０，２０の嵌合が完了すると同時に可動電極２１と固定電極１１との接続が完了する。また、この嵌合状態からスライドレバー３０を上方へ持ち上げると、カム溝３４ａ，３４ｂとカムフォロア１３ａ，１３ｂの係合によるカム作用により、可動側ハウジング２０が固定側ハウジング１０から離間されるとともに可動電極２１が固定電極１１から離間される。
【００１８】
固定側ハウジング１０のフード部１２には、その左右両外側面の前縁に沿って上下方向に直線状に延びる一対の固定側ガイドリブ１５が形成されている。この固定側ガイドリブ１５は、フード部１２の上端（本発明における基端）から、上側のカムフォロア１３ａの後方近傍を経て、下側のカムフォロア１３ｂよりも僅かに上方の位置まで延びている。尚、カムフォロア１３ａ，１３ｂは固定側ガイドリブ１５よりも外側方へ突出され、この突出した部分にリング１４ａ，１４ｂが嵌装されている。
【００１９】
一方、可動側ハウジング２０の筒状嵌合部２２には、その左右両側壁の内面前縁に沿って上下方向に直線状に延びる可動側ガイドリブ２４ａ，２４ｂが形成され、この可動側ガイドリブ２４ａ，２４ｂが固定側ガイドリブ１５に係止することで、可動側ハウジング２０の固定側ハウジング１０からの離脱が規制されるようになっている。この可動側ガイドリブ２４ａ，２４ｂは上下２本に分かれている。上側の可動側ガイドリブ２４ａは、筒状嵌合部２２の上端（本発明における基端）から、スライドレバー３０が初期位置にある状態で上側のカム溝３４ａの入口に至る領域に亘って形成され、下側の可動側ガイドリブ２４ｂは、スライドレバー３０が初期位置にある状態で上側のカム溝３４ａの入口から下側のカム溝３４ｂの入口に至る領域に亘って形成されている。したがって、上側の可動側ガイドリブ２４ａと下側の可動側ガイドリブ２４ｂとの間には、スライドレバー３０が初期位置にある状態で上側のカム溝３４ａの入口と対応する切欠部２５が形成されている。
【００２０】
また、下側の可動側ガイドリブ２４ｂの下端から筒状嵌合部２２の下端（本発明における先端）に至る領域には、可動側ガイドリブは形成されておらず、この非形成領域においては、スライドレバー３０が初期位置にある状態で下側のカム溝３４ｂの入口が可動側ガイドリブ２４ａ，２４ｂで塞がれないので、そのカム溝３４ｂの入口にカムフォロア１３ｂが進入することが許容される。この非形成領域、即ち筒状嵌合部２２の下端部が固定側ハウジング１０の正面上端部に対してその前方から接近したときには、固定側ガイドリブ１５の上端部が筒状嵌合部２２の内部に嵌入され、筒状嵌合部２２の下面壁２６（本発明の構成要件である可動側ハウジング２０の正面先端部）の前端における左右両端部が、フード部１２の左右両側壁１６の前端上端部に当接するようになっている（図５及び図１を参照）。この図１に示す状態を、可動側ハウジング２０が固定側ハウジング１０に対して不整合位置にある状態という。尚、この筒状嵌合部２２の下面壁２６の前端とフード部１２の左右両側壁１６の前端は、本発明のガイド手段を構成する。そして、この筒状嵌合部２２の下面壁２６とフード部１２の側壁１６が当接した状態では、可動側ガイドリブ２４ａ，２４ｂと固定側ガイドリブ１５とは、前後方向（＝両ハウジング１０，２０の嵌合方向）において係止可能な位置関係となる。
【００２１】
さらに、フード部１２の左右両外側面には、固定側ガイドリブ１５の下端から、概ね斜め下後方に延びる弧状の誘導リブ１７（本発明の構成要件である誘導部）が形成されている。この誘導リブ１７は、下側のカムフォロア１３ｂの右上方に沿うように位置している。さらに、フード部１２の前縁下端部には、その前縁から下面に亘る弧状の誘導面１８（本発明の構成要件である誘導部）が形成されている。この誘導リブ１７と誘導面１８は、上下方向、即ち可動側ハウジング２０が固定側ハウジング１０に対して不整合位置と整合位置との間で移動する方向と同じ方向に間隔を空けている。
【００２２】
次に、本実施形態の作用を説明する。
可動側ハウジング２０を固定側ハウジング１０に嵌合する際には、まず、スライドレバー３０が初期位置にある状態で、可動側ハウジング２０を固定側ハウジング１０に対して上方へ位置ずれした状態で前面（正面）同士を対向させつつ接近させ、筒状嵌合部２２の下面壁２６の下端部（＝筒状嵌合部２２の正面先端部）を側壁１６の前端上端部（＝フード部１２の正面基端部）に当接させ、可動側ハウジング２０を不整合位置とする（図１を参照）。可動側ハウジング２０を固定側ハウジング１０に当接させるときには、可動側ガイドリブ２４ａ，２４ｂは固定側ガイドリブ１５と干渉しないので可動側ハウジング２０の当接動作に支障はない。また、カム溝３４ａ，３４ｂの入口をカムフォロア１３ａ，１３ｂに整合させる必要がないので、可動側ハウジング２０の位置は多少上下方向にばらつきがあっても構わず、当接動作に際して緻密な位置決めは不要である。さらに、この不整合位置にある状態では、フード部１２の上端部が筒状嵌合部２２内に入り込むので、可動側ハウジング２０が固定側ハウジング１０に対して左右方向へ大きく遊動することもない。
【００２３】
この後、不整合位置の可動側ハウジング２０をフード部１２に押し付けつつ整合位置側へ向けて下方へ移動させると、移動直後に、下側の可動側ガイドリブ２４ｂの下端部が固定側ガイドリブ１５の上端部に係止し始め、その後は可動側ハウジング２０の移動が進むのに伴ない固定側ガイドリブ１５と可動側ガイドリブ２４ａ，２４ｂの上下方向の係止代が増大していく。これらのガイドリブ１５，２４ａ，２４ｂの係止によりガイド機能が発揮され、可動側ハウジング２０は固定側ハウジング１０に対して前後方向に遊動することなく確実に整合位置に移動する。この間は、固定側ガイドリブ１５と可動側ガイドリブ２４ａ，２４ｂとの係止、及び筒状嵌合部２２の下面壁２６とフード部１２の側壁１６との当接により、固定側ハウジング１０に対する可動側ハウジング２０の前後方向への遊動及び前傾又は後傾するような姿勢の変化が規制される。
【００２４】
さて、図２に示すように可動側ハウジング２０が整合位置の手前まで移動すると、この後は、下側の可動側ガイドリブ２４ｂの下端部が誘導リブ１７に摺接するとともに、筒状嵌合部２２の下面壁２６の前端がフード部１２の誘導面１８に摺接する。このとき、誘導リブ１７に対する可動側ガイドリブ２４ｂの当接方向（斜め下前方）と誘導面１８に対する下面壁２６の当接方向（斜め上後方）とは互いに反対側であるため、可動側ハウジング２０が固定側ハウジング１０に対して上下方向及び前後方向に大きくガタ付きを生じたり姿勢を傾けたりすることはない。
【００２５】
この誘導リブ１７と可動側ガイドリブ２４ｂとの摺接及び誘導面１８と下面壁２６との摺接により、可動側ハウジング２０の移動方向が真下方向から斜め下方へ変更され、可動側ハウジング２０は下方へ移動するのに伴なって固定側ハウジング１０側へ接近する。この接近動作により、カム溝３４ａ，３４ｂの入口がカムフォロア１３ａ，１３ｂに接近していき、可動側ハウジング２０が整合位置に達すると同時にカム溝３４ａ，３４ｂの入口がカムフォロア１３ａ，１３ｂに嵌合される（図３を参照）。この状態では、フード部１２の前端部が筒状嵌合部２２内に浅く嵌合するので、固定側ハウジング１０に対する可動側ハウジング２０の上下左右方向への遊動が規制される。
【００２６】
この状態から初期位置にあるスライドレバー３０を下方へ押し下げると、カム溝３４ａ，３４ｂとカムフォロア１３ａ，１３ｂとの係合によるカム作用により、可動側ハウジング２０が固定側ハウジング１０に引き寄せられる。スライドレバー３０の押し下げが完了してカム溝３４ａ，３４ｂの奥端（上端）にカムフォロア１３ａ，１３ｂが到達すると、両ハウジング１０，２０の嵌合が完了し（図４を参照）、固定電極１１と可動電極２１とが接続状態となる。
【００２７】
上述のように本実施形態においては、両ハウジング１０，２０の嵌合作業の当初は、カム溝３４ａ，３４ｂの入口をカムフォロア１３ａ，１３ｂに対して位置決めすることなく、筒状嵌合部２２の前端下端部をフード部１２の前端上端部に当接させるだけで済み、その後は、ガイドリブ１５，２４ａ，２４ｂによってカム溝３４ａ，３４ｂの入口とカムフォロア１３ａ，１３ｂとが対応する位置まで可動側ハウジング２０が案内されるようになっている。したがって、目視確認が困難であって手探りで作業しなければならないような状況下においても、ハウジング１０，２０の嵌合作業を容易且つ確実に行うことができる。
【００２８】
また、可動側ハウジング２０が整合位置の手前から整合位置に至る過程では、誘導リブ１７と誘導面１８の案内により可動側ハウジング２０が移動方向を斜めに変え、この移動が進むのに伴なってカム溝３４ａ，３４ｂの入口がカムフォロア１３ａ，１３ｂに嵌合されるようになっている。つまり、可動側ハウジング２０を整合位置へ移動させる作業と、カム溝３４ａ，３４ｂの入口をカムフォロア１３ａ，１３ｂに嵌合させる作業とが、ワンアクション（一連の作業）で済むようになっている。したがって、可動側ハウジングを整合位置まで移動させた後に、その可動側ハウジングを持ち替えてカム溝をカムフォロアに嵌合させるための別工程作業を行う場合に比べると、作業性に優れている。
【００２９】
また、可動側ハウジング２０が誘導リブ１７及び誘導面１８に案内されて移動方向を変える際には、可動側ハウジング２０は上下２個所で案内されることになるので所定の姿勢に保たれる。これにより、カム溝３４ａ，３４ｂの入口をカムフォロア１３ａ，１３ｂに確実に嵌合させることができる。
また、可動側ハウジング２０を不整合位置から整合位置へ移動させるときの移動方向と、その後にスライドレバー３０を初期位置から嵌合位置へ移動させるときの移動方向とが、互いに同じ向き（下向き）とされているので、操作性がよい。また、スライドレバー３０を操作するときに、整合位置の可動側ハウジング２０が不整合位置へ戻ってしまう虞もない。
【００３０】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では可動側ハウジングの正面先端部を固定側ハウジングの正面基端部に当接させるための手段として、筒状嵌合部のガイド手段の形成範囲を、筒状嵌合部の先端部を除く領域としたが、本発明によれば、固定側ハウジングのガイド手段の形成範囲を、固定側ハウジングの基端部を除く領域としてもよい。
【００３１】
（２）上記実施形態では可動側ハウジングの不整合位置から整合位置への移動方向を、スライドレバーの初期位置から嵌合位置への移動方向と同じ向きとしたが、本発明によれば、可動側ハウジングの不整合位置から整合位置への移動方向を、スライドレバーの初期位置から嵌合位置への移動方向とは逆向きとしてもよい。
【図面の簡単な説明】
【図１】実施形態１において可動側ハウジングの正面先端部を固定側ハウジングの正面基端部に当接させた状態の一部切欠側面図
【図２】可動側ハウジングを不整合位置から整合位置の手前まで移動させた状態の一部切欠側面図
【図３】可動側ハウジングが整合位置に達してカム溝の入口がカムフォロアに嵌合した状態の一部切欠側面図
【図４】スライドレバーを初期位置から嵌合位置に移動させて両ハウジングを嵌合した状態の一部切欠側面図
【図５】可動側ハウジングが不整合位置にある状態の底面図
【図６】両ハウジングが嵌合した状態の底面図
【符号の説明】
１０…固定側ハウジング
１１…固定電極
１３ａ，１３ｂ…カムフォロア
１５…固定側ガイドリブ（ガイド手段）
１６…フード部の側壁（ガイド手段）
１７…誘導リブ（誘導部）
１８…誘導面（誘導部）
２０…可動側ハウジング
２１…可動電極
２２…筒状嵌合部
２４ａ，２４ｂ…可動側ガイドリブ（ガイド手段）
２６…筒状嵌合部の下面壁（ガイド手段）
３０…スライドレバー
３４ａ，３４ｂ…カム溝
【図１】
2004039260.tif 000003
【図２】
2004039260.tif 000004
【図３】
2004039260.tif 000005
【図４】
2004039260.tif 000006
【図５】
2004039260.tif 000007
【図６】
2004039260.tif 000008